(57)【要約】【課題】既設杭の引き抜き作業をスムーズに行うことが可能な杭抜き装置および杭抜き方法を提供する。【解決手段】内側に既設杭Ｐが通される筒状のケーシング１１と、既設杭Ｐの外周面に巻き付けられて、この既設杭Ｐを引き上げる引上げワイヤ１２と、ケーシング１１の下端部に仮止めされた引上げワイヤ１２を、前記下端部から既設杭Ｐ側に軸方向にスライドさせるスライド機構１３と、を備えた杭抜き装置を構成する。【選択図】図１
2019015023.tif 000002
【特許請求の範囲】
【請求項１】
内側に既設杭（Ｐ）が通される筒状のケーシング（１１）と、
前記既設杭（Ｐ）の外周面に巻き付けられて、この既設杭（Ｐ）を引き上げる引上げワイヤ（１２）と、
前記ケーシング（１１）の下端部に仮止めされた前記引上げワイヤ（１２）を、前記下端部から前記既設杭（Ｐ）側に軸方向にスライドさせるスライド機構（１３）と、
を備えた杭抜き装置。
【請求項２】
前記スライド機構（１３）が、
前記ケーシング（１１）の外周面側に設けられ、前記ケーシング（１１）の軸方向にスライド可能な筒状のスライド部材（１３）であって、このスライド部材（１３）の下端部が前記引上げワイヤ（１２）に当接して、この引上げワイヤ（１２）を前記軸方向下向きにスライドさせる請求項１に記載の杭抜き装置。
【請求項３】
前記ケーシング（１１）または前記スライド部材（１３）の一方側に形成された突起部（１８）と、
前記ケーシング（１１）または前記スライド部材（１３）の前記突起部（１８）を形成した一方側とは異なる他方側に形成され、前記突起部（１８）と当接して前記スライド部材（１３）の前記軸方向へのスライド量を制限するスライド制限部（２０）と、
をさらに備えた請求項２に記載の杭抜き装置。
【請求項４】
前記引上げワイヤ（１２）が、前記既設杭（Ｐ）の周りに２重以上に巻き付けられる請求項１から３のいずれか１項に記載の杭抜き装置。
【請求項５】
前記ケーシング（１１）の軸方向上方に、内側に前記既設杭（Ｐ）および前記引上げワイヤ（１２）が通される筒状のガイド部材（２４）をさらに備えた請求項１から４のいずれか１項に記載の杭抜き装置。
【請求項６】
下端に掘削刃が設けられた筒状のケーシング（１１）を軸周りに回転させて、地盤（Ｇ）に埋設された既設杭（Ｐ）と前記地盤（Ｇ）との間の縁切りを行う縁切り工程と、
前記縁切りを行った前記既設杭（Ｐ）と前記地盤（Ｇ）との間の隙間に、下端部に前記既設杭（Ｐ）を引き上げる引上げワイヤ（１２）を巻き付けた前記ケーシング（１１）を挿入するケーシング挿入工程と、
前記既設杭（Ｐ）の所定深さ位置において、前記ケーシング（１１）から前記既設杭（Ｐ）側に前記引上げワイヤ（１２）を軸方向にスライドさせて、この引上げワイヤ（１２）を前記既設杭（Ｐ）に巻き付けるワイヤ巻き付け工程と、
前記引上げワイヤ（１２）を上向きに引っ張って、前記既設杭（Ｐ）を引き抜く引き抜き工程と、
を備えた杭抜き方法。
【請求項７】
前記引上げワイヤ（１２）の前記軸方向へのスライドが、前記ケーシング（１１）の外周面側に設けられ、前記ケーシング（１１）の軸方向に移動可能なスライド部材（１３）の下端部が前記引上げワイヤ（１２）に当接することによって行なわれる請求項６に記載の杭抜き方法。
【請求項８】
前記引上げワイヤ（１２）が、前記既設杭（Ｐ）の周りに２重以上に巻き付けられる請求項６または７に記載の杭抜き方法。
【発明の詳細な説明】
【技術分野】
【０００１】
この発明は、建設現場に埋設された既設杭を引き抜くための杭抜き装置および杭抜き方法に関する。
【背景技術】
【０００２】
ビルやマンションなどの建物の建設現場においては、固い地盤まで杭が埋設され、この杭によって建物が安定的に支持される。そして、建物の建て替え時においては、地盤に埋設された既設杭を引き抜いて撤去する必要がある。
【０００３】
この既設杭の引き抜き作業に用いられる杭抜き装置として、例えば、特許文献１に示す埋設物撤去装置がある。この埋設物撤去装置は、下端の開口縁に掘削刃が設けられた円筒状のケーシングと、このケーシング内に開閉動作が可能な左右一対の掴み片と、掴み片によって掴まれたケーシング内の既設杭をケーシングと一体に引き上げる引上機構とを備えている。掘削刃で既設杭の周囲を掘削してこの既設杭と地盤との間の縁切りを行った上で、既設杭の下端を掬うように一対の掴み片により掴み上げることにより、この既設杭を撤去することができる（特許文献１の段落０００７、００１３、図３など参照）。
【先行技術文献】
【特許文献】
【０００４】
【特許文献１】特開２０１２−９７４４４号公報
【発明の概要】
【発明が解決しようとする課題】
【０００５】
特許文献１に記載の埋設物撤去装置においては、既設杭が埋設された固い地盤からの抵抗力に抗して、その掴み片を開閉しなければならない。このため、この掴み片の開閉をスムーズに行うことができず、引き抜き作業に支障を来たすことがある。
【０００６】
そこで、この発明は、既設杭の引き抜き作業をスムーズに行うことを課題とする。
【課題を解決するための手段】
【０００７】
上記の課題を解決するため、この発明は、内側に既設杭が通される筒状のケーシングと、前記既設杭の外周面に巻き付けられて、この既設杭を引き上げる引上げワイヤと、前記ケーシングの下端部に仮止めされた前記引上げワイヤを、前記下端部から前記既設杭側に軸方向にスライドさせるスライド機構と、を備えた杭抜き装置を構成した。
【０００８】
このように、既設杭に引上げワイヤを巻き付けて、この既設杭を引き上げることにより、この既設杭が固い地盤に埋設されている場合でも、その引き抜き作業をスムーズに行うことができる。しかも、スライド機構でケーシングの下端に仮止めされた引上げワイヤを既設杭側にスライドさせるだけで、その巻き付けを行うことができるため、その作業を非常に簡便に行うことができる。
【０００９】
前記構成においては、前記スライド機構が、前記ケーシングの外周面側に設けられ、前記ケーシングの軸方向にスライド可能な筒状のスライド部材であって、このスライド部材の下端部が前記引上げワイヤに当接して、この引上げワイヤを前記軸方向下向きにスライドさせる構成とすることができる。
【００１０】
このように、スライド部材を採用することにより、ケーシングの下端部に巻き付けられた引上げワイヤを容易に既設杭側にスライドさせることができ、この既設杭の引き抜き作業を一層スムーズに行うことができる。
【００１１】
前記スライド部材を採用した構成においては、前記ケーシングまたは前記スライド部材の一方側に形成された突起部と、前記ケーシングまたは前記スライド部材の前記突起部を形成した一方側とは異なる他方側に形成され、前記突起部と当接して前記スライド部材の前記軸方向へのスライド量を制限するスライド制限部と、をさらに備えた構成とすることができる。
【００１２】
このようにすると、スライド部材が不用意に軸方向にスライドして、ケーシングに仮止めされた引上げワイヤが、既設杭に巻き付くのを防止することができる。このため、この既設杭の引き抜き作業をスムーズにかつ正確に行うことができる。
【００１３】
前記各構成においては、前記引上げワイヤが、前記既設杭の周りに２重以上に巻き付けられる構成とすることができる。
【００１４】
このようにすると、引上げワイヤが既設杭の軸方向の複数箇所で、この既設杭に巻き付けられた状態となる。このため、既設杭の特定の箇所に引上げワイヤからの引き上げ力が集中的に作用して、既設杭が折れるなどの問題を回避することができる。
【００１５】
前記各構成においては、前記ケーシングの軸方向上方に、内側に前記既設杭および前記引上げワイヤが通される筒状のガイド部材をさらに備えた構成とすることができる。
【００１６】
このようにすると、既設杭の引き上げ作業の際に、引上げワイヤが既設杭（ケーシング）の軸方向に沿った状態とすることができる。このため、既設杭をその軸方向に真っ直ぐに引き上げることができ、その引き上げ作業中に既設杭が傾いて引き抜き作業に手間取ったり、既設杭が途中で折れたりするのを防止することができる。
【００１７】
また、この発明においては、下端に掘削刃が設けられた筒状のケーシングを軸周りに回転させて、地盤に埋設された既設杭と前記地盤との間の縁切りを行う縁切り工程と、前記縁切りを行った前記既設杭と前記地盤との間の隙間に、下端部に前記既設杭を引き上げる引上げワイヤを巻き付けた前記ケーシングを挿入するケーシング挿入工程と、前記既設杭の所定深さ位置において、前記ケーシングから前記既設杭側に前記引上げワイヤを軸方向にスライドさせて、この引上げワイヤを前記既設杭に巻き付けるワイヤ巻き付け工程と、前記引上げワイヤを上向きに引っ張って、前記既設杭を引き抜く引き抜き工程と、を備えた杭抜き方法を構成した。
【００１８】
このようにすると、既述のように、既設杭に巻き付けた引上げワイヤを引き上げることによって、既設杭の引き抜き作業をスムーズかつ簡便に行うことができる。
【００１９】
前記構成においては、前記引上げワイヤの前記軸方向へのスライドが、前記ケーシングの外周面側に設けられ、前記ケーシングの軸方向に移動可能なスライド部材の下端部が前記引上げワイヤに当接することによって行なわれる構成とすることができる。
【００２０】
このようにスライド部材を採用することにより、ケーシングの下端部に巻き付けられた引上げワイヤを容易に既設杭側にスライドさせることができ、この既設杭の引き抜き作業を一層スムーズに行うことができる。
【００２１】
前記スライド部材を採用した構成においては、前記引上げワイヤが、前記既設杭の周りに２重以上に巻き付けられる構成とすることができる。
【００２２】
このようにすると、既述のように、引上げワイヤが既設杭の軸方向の複数箇所で、この既設杭に巻き付けられた状態となるため、既設杭の特定の箇所に引上げワイヤからの引き上げ力が集中的に作用して、既設杭が折れるなどの問題を回避することができる。
【発明の効果】
【００２３】
この発明は、ケーシングの下端部に仮止めされた引上げワイヤを、この下端部から既設杭側に軸方向にスライドさせて、この引上げワイヤを既設杭に巻き付けてこの既設杭を引き上げる構成とした。このため、この既設杭が固い地盤まで深く埋設されている場合においても、その引き抜き作業をスムーズに行うことができる。
【図面の簡単な説明】
【００２４】
【図１】この発明に係る杭抜き装置の第一実施形態を示す斜視図
【図２】引上げワイヤの構成を示す斜視図であって、（ａ）は線材を２重とした状態、（ｂ）は線材を４重とした状態
【図３】図１に示す杭抜き装置の変形例を示す斜視図
【図４】この発明に係る杭抜き方法の一実施形態（工程の前半）を示す概要図であって、（ａ）は既設杭が地盤に埋設された状態、（ｂ）は地盤と既設杭の縁切りを行っている状態、（ｃ）は縁切りが完了した状態
【図５】この発明に係る杭抜き方法の一実施形態（工程の後半）を示す概念図であって、（ａ）は杭抜き装置を縁切りを行った地盤中に設けた状態、（ｂ）は押圧装置を作動させてスライド部材を相対回転させた状態、（ｃ）は引上げワイヤを既設杭に巻き付けた状態、（ｄ）は既設杭を引き抜いている状態
【図６】この発明に係る杭抜き装置の第二実施形態を示す斜視図
【発明を実施するための形態】
【００２５】
この発明に係る杭抜き装置１０の第一実施形態を図１に示す。この杭抜き装置１０は、建設現場に埋設された既設杭Ｐを引き抜くためのものである。この杭抜き装置１０は、ケーシング１１、引上げワイヤ１２、および、スライド機構１３を主要な構成要素としている。
【００２６】
ケーシング１１は、筒状の部材であって、その内側に既設杭Ｐを通すことができるようになっている。このケーシング１１の長さは、引き抜こうとする既設杭Ｐの長さに対応し、既設杭Ｐの長さが長いときには、複数のケーシング１１を軸方向に連結することができるようになっている。このケーシング１１の素材として、鋼管を採用している。このケーシング１１の外径は、例えば５００〜６００ｍｍ程度とするのが好ましい。このケーシング１１は、吊下げワイヤ１４によって吊り下げられている。
【００２７】
引上げワイヤ１２は、既設杭Ｐの外周面に巻き付けられて、この既設杭Ｐを引き上げる機能を有している。この引上げワイヤ１２の一端側は地上に引き出され、他端側はケーシング１１の下端部に仮止めされた（下向きにずれ落ちない程度の巻き付け力でこの下端部に巻き付けられている）状態となっている。この引上げワイヤ１２として、高い強度を備えたピアノ線を採用している。
【００２８】
スライド機構１３は、ケーシング１１の下端部に巻き付けられた引上げワイヤ１２を、この下端部から既設杭Ｐ側（下側）に軸方向にスライドさせる機能を有している。このスライド機構１３は、ケーシング１１の外周面側にこのケーシング１１と同軸に設けられ、その軸方向にスライド可能な筒状のスライド部材である（以下において、スライド機構１３のことをスライド部材と称し、スライド機構１３と同じ符号を付する）。このスライド部材１３の外径は、ケーシング１１との間のスライドをスムーズに行うために、このケーシング１１の外径よりも１００ｍｍ程度大きいのが好ましく、例えばケーシング１１の外径が５００ｍｍの場合、スライド部材１３の外径を６００ｍｍとするのが好ましい。
【００２９】
ケーシング１１の外周面には、出没自在なロッド１５（図５（ｂ）など参照）を備えた押圧装置１６が設けられている。この押圧装置１６には、地上に至る油圧ホース１７が接続されている。この油圧ホース１７を通して押圧装置１６に作動油を送り込むことによって、ロッド１５を突出させることができる。また、ケーシング１１の外周面の押圧装置１６の設置位置よりも下端側には、この外周面から径方向外向きに突出する突起部１８が形成されている。
【００３０】
スライド部材１３の上端部には、この上端部から軸方向上向きに突出する当接部材１９が設けられている。また、スライド部材１３には、その外周面から内周面に至る切欠き状のスライド制限部２０が形成されている。このスライド制限部２０は、軸方向に所定の長さを有する短軸部２０ａと、この短軸部２０ａよりも軸方向上向きにさらに延びる長軸部２０ｂとが隣り合って形成されている。
【００３１】
引上げワイヤ１２がケーシング１１の下端部に仮止めされた状態において、ケーシング１１に形成された突起部１８は、短軸部２０ａの上端部に係止されている。この状態で、ケーシング１１に設けられた押圧装置１６を作動させてロッド１５を突出させると、このロッド１５と当接部材１９が当接し、その当接力によってスライド部材１３がケーシング１１に対して軸周りに相対回転する（図５（ｂ）中の矢印参照）。そして、突起部１８が短軸部２０ａから外れると、スライド部材１３が自重によって軸方向下向きにスライドして落ち込み、突起部１８が長軸部２０ｂの上端部に係止される。
【００３２】
スライド部材１３が軸方向下向きに落ち込む際に、スライド部材１３の下端部が、ケーシング１１の下端部に仮止めされた引上げワイヤ１２に当接し、この引上げワイヤ１２を下向き（既設杭Ｐ側）にスライドさせる。このスライドによって、引上げワイヤ１２がケーシング１１の下端部から外れて、このケーシング１１に通された既設杭Ｐの外周面に巻き付けられる（図５（ｃ）参照）。この既設杭Ｐに引上げワイヤ１２が巻き付けられた状態で、この引上げワイヤ１２の地上側端部を引き上げると、既設杭Ｐに巻き付けられた引上げワイヤ１２が締め付けられ、引上げワイヤ１２の引き上げ力によって既設杭Ｐが上向きに引き抜かれる（図５（ｄ）参照）。
【００３３】
この引上げワイヤ１２の既設杭Ｐへの仮止めの際の巻き付け方は適宜決めることができるが、例えば４重巻きのように、２重以上に巻き付けられる構成とするのが好ましい。この４重巻きにおいては、図２（ａ）に示すように、引上げワイヤ１２の最下端を折り返して、線材が２重となった折り返し部２１を形成する。そして、この折り返し部２１をテープなどの係止部材２２で固定する。さらに、図２（ｂ）に示すように、この折り返し部２１を２重にループさせて、線材が４重となった巻き付け部２３を形成する。
【００３４】
引上げワイヤ１２の端部が折り返し部２１から抜けるのを防止するために、この折り返し部２１の形成時にこの端部を溶接しておくか、折り返し部２１のループ径よりも大きい抜け止め部材（図示せず）をこの端部に設けておくのが好ましい。
【００３５】
既述のように、引上げワイヤ１２として剛性の高いピアノ線を採用する場合、その剛性に抗して引上げワイヤ１２をケーシング１１に巻き付けるようにセットするのが非常に難しいことが多い。そこで、上記のように引上げワイヤ１２の最下端を折り返して折り返し部２１を形成しておくことにより、４重巻きのように引上げワイヤ１２を多重巻きとした場合においても、この引上げワイヤ１２をスムーズにケーシング１１に仮止めすることができる。
【００３６】
なお、この実施形態においては、４重巻きとしたが、６重巻きのようにさらに多重巻きとすることもできる。また、初めに折り返し部２１を形成しないことにより、３重巻きのように奇数の巻き数とすることもできる。
【００３７】
このように、引上げワイヤ１２を多重に巻き付けることによって、引上げワイヤ１２が既設杭Ｐの軸方向の複数箇所で巻き付けられた状態となる。このため、既設杭Ｐの特定の箇所に引上げワイヤ１２からの引き上げ力が集中的に作用して、既設杭Ｐが折れるなどの問題を回避することができる。
【００３８】
図３に示すように、ケーシング１１の軸方向上方に、筒状のガイド部材２４を設けた構成とすることもできる。このガイド部材２４の外径は、ケーシング１１の外径と同程度であって、このガイド部材２４の内側には既設杭Ｐおよび引上げワイヤ１２が通される。このようにガイド部材２４を設けることにより、引上げワイヤ１２が既設杭Ｐに沿った状態を保つことができ、既設杭Ｐがその軸方向から傾くことなく、その引き抜き作業をスムーズに行うことができる。
【００３９】
この発明に係る杭抜き方法の手順を図４（ａ）〜（ｃ）、図５（ａ）〜（ｄ）に示す。この杭抜き方法は、建設現場の地盤Ｇに埋設された既設杭Ｐを引き抜くための方法である。この杭抜き方法は、縁切り工程、ケーシング挿入工程、ワイヤ巻き付け工程、および、引き抜き工程を主要な構成要素としている。
【００４０】
既設杭Ｐは、図４（ａ）に示すように、地盤Ｇに所定の深さまで埋設されている。縁切り工程においては、図４（ｂ）に示すように、下端に掘削刃が設けられた筒状のケーシング２５を軸周りに回転させながら既設杭Ｐの周囲の地盤Ｇを掘削する。これにより、図４（ｃ）に示すように、地盤Ｇに埋設された既設杭Ｐと地盤Ｇとの間が縁切りされる。なお、図４（ｃ）においては、既設杭Ｐと地盤Ｇとの間に空洞が形成されているように図示したが、実際には、この空洞には縁切り工程で生じた土砂で埋まっている状態が通常である。
【００４１】
ケーシング挿入工程においては、図５（ａ）に示すように、縁切り工程で縁切りされた既設杭Ｐと地盤Ｇとの間に、ケーシング１１の下端部に引上げワイヤ１２が仮止めされるとともに、ケーシング１１と同軸にスライド部材１３が設けられた杭抜き装置１０（図１参照）が挿入される。
【００４２】
ワイヤ巻き付け工程においては、図５（ｂ）に示すように、既設杭Ｐの所定深さにおいて、ケーシング１１とスライド部材１３を軸周りに相対回転させる。さらに、図５（ｃ）に示すように、このスライド部材１３を自重によって軸方向下向きにスライドさせることによって、ケーシング１１から既設杭Ｐ側に引上げワイヤ１２を軸方向下向きにスライドさせて、この引上げワイヤ１２を既設杭Ｐに巻き付ける。
【００４３】
そして、引き抜き工程においては、図５（ｄ）に示すように、引上げワイヤ１２を上向きに引っ張ることにより、既設杭Ｐに巻き付けられた引上げワイヤ１２が締め付けられ、引上げワイヤ１２の引き上げ力によって既設杭Ｐが上向きに引き抜かれる。
【００４４】
この発明に係る杭抜き装置１０の第二実施形態を図６に示す。この杭抜き装置１０は、ケーシング１１、引上げワイヤ１２、および、スライド機構１３（以下において、スライド部材１３と称する。）を主要な構成要素とする点で第一実施形態に係る杭抜き装置１０と共通するが、ケーシング１１に対してスライド部材１３を軸方向にスライドさせるための機構が相違している。
【００４５】
すなわち、第二実施形態に係る杭抜き装置１０においては、スライド部材１３の外周面に、その軸方向に伸びる複数の突条２６が形成されている。スライド部材１３は、その軸方向には移動可能となっているが、その外周面に形成された突条２６が地盤Ｇに食い込むことによって、軸周りに回転不能となっている。
【００４６】
ケーシング１１の外周面には、この外周面よりも径方向外向きに突出する突起部１８が形成されている。また、スライド部材１３には、その外周面から内周面に至る切欠き状のスライド制限部２０が形成されている。このスライド制限部２０は、軸方向に所定の長さを有する短軸部２０ａと、この短軸部２０ａよりも軸方向上向きにさらに延びる長軸部２０ｂとが隣り合って形成されている。
【００４７】
引上げワイヤ１２がケーシング１１の下端部に仮止めされた状態において、ケーシング１１に形成された突起部１８は、短軸部２０ａの上端部に係止されている。この状態で、ケーシング１１の上端に接続されたアースオーガ２７を駆動して、ケーシング１１を軸周りに回転すると（図６中の矢印参照）、地盤Ｇへの食い込みによって軸周りの回転が阻止されたスライド部材１３とケーシング１１とが軸周りに相対回転する。そして、突起部１８が短軸部２０ａから外れると、スライド部材１３が自重によって軸方向下向きにスライドして落ち込み、突起部１８が長軸部２０ｂの上端部に係止される。
【００４８】
スライド部材１３が軸方向下向きに落ち込む際に、スライド部材１３の下端部が、ケーシング１１の下端部に仮止めされた引上げワイヤ１２に当接し、この引上げワイヤ１２を下向き（既設杭Ｐ側）にスライドさせる。このスライドによって、引上げワイヤ１２がケーシング１１の下端部から外れて、このケーシング１１に通された既設杭Ｐの外周面に巻き付けられる。この既設杭Ｐに引上げワイヤ１２が巻き付けられた状態で、この引上げワイヤ１２の地上側端部を引き上げると、既設杭Ｐに巻き付けられた引上げワイヤ１２が締め付けられ、引上げワイヤ１２の引き上げ力によって既設杭Ｐが上向きに引き抜かれる。
【００４９】
上記の各実施形態において示した杭抜き装置１０、および、杭抜き方法はあくまでも例示であって、既設杭Ｐの引き抜き作業をスムーズに行う、というこの発明の課題を解決し得る限りにおいて、杭抜き装置１０の構成や杭抜き方法の工程の一部を適宜変更することができる。
【符号の説明】
【００５０】
１０  杭抜き装置
１１  ケーシング
１２  引上げワイヤ
１３  スライド機構（スライド部材）
１４  吊下げワイヤ
１５  ロッド
１６  押圧装置
１７  油圧ホース
１８  突起部
１９  当接部材
２０  スライド制限部
２０ａ  短軸部
２０ｂ  長軸部
２１  折り返し部
２２  係止部材
２３  巻き付け部
２４  ガイド部材
２５  ケーシング（縁切り用）
２６  突条
２７  アースオーガ
Ｐ  既設杭
Ｇ  地盤
【図１】
2019015023.tif 000003
【図２】
2019015023.tif 000004
【図３】
2019015023.tif 000005
【図４】
2019015023.tif 000006
【図５】
2019015023.tif 000007
【図６】
2019015023.tif 000008
【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
内側に既設杭（Ｐ）が通される筒状のケーシング（１１）と、
前記既設杭（Ｐ）の外周面に巻き付けられて、この既設杭（Ｐ）を引き上げる引上げワイヤ（１２）と、
前記ケーシング（１１）の下端部に仮止めされた前記引上げワイヤ（１２）を、前記下端部から前記既設杭（Ｐ）側に軸方向にスライドさせるスライド機構（１３）と、
を備え、
前記スライド機構（１３）が、
前記ケーシング（１１）の外周面側に設けられ、前記ケーシング（１１）の軸方向にスライド可能な筒状のスライド部材（１３）であって、このスライド部材（１３）の下端部が前記引上げワイヤ（１２）に当接して、この引上げワイヤ（１２）を前記軸方向下向きにスライドさせる杭抜き装置。
【請求項２】
前記ケーシング（１１）または前記スライド部材（１３）の一方側に形成された突起部（１８）と、
前記ケーシング（１１）または前記スライド部材（１３）の前記突起部（１８）を形成した一方側とは異なる他方側に形成され、前記突起部（１８）と当接して前記スライド部材（１３）の前記軸方向へのスライド量を制限するスライド制限部（２０）と、
をさらに備えた請求項１に記載の杭抜き装置。
【請求項３】
前記引上げワイヤ（１２）が、前記既設杭（Ｐ）の周りに２重以上に巻き付けられる請求項１または２に記載の杭抜き装置。
【請求項４】
前記ケーシング（１１）の軸方向上方に、内側に前記既設杭（Ｐ）および前記引上げワイヤ（１２）が通される筒状のガイド部材（２４）をさらに備えた請求項１から３のいずれか１項に記載の杭抜き装置。
【請求項５】
内側に既設杭（Ｐ）が通される筒状のケーシング（１１）と、
前記既設杭（Ｐ）の外周面に巻き付けられて、この既設杭（Ｐ）を引き上げる引上げワイヤ（１２）と、
前記ケーシング（１１）の下端部に仮止めされた前記引上げワイヤ（１２）を、前記下端部から前記既設杭（Ｐ）側に軸方向にスライドさせるスライド機構（１３）と、
を備え、
前記ケーシング（１１）の軸方向上方に、内側に前記既設杭（Ｐ）および前記引上げワイヤ（１２）が通される筒状のガイド部材（２４）をさらに備えた杭抜き装置。
【請求項６】
下端に掘削刃が設けられた筒状のケーシング（１１）を軸周りに回転させて、地盤（Ｇ）に埋設された既設杭（Ｐ）と前記地盤（Ｇ）との間の縁切りを行う縁切り工程と、
前記縁切りを行った前記既設杭（Ｐ）と前記地盤（Ｇ）との間の隙間に、下端部に前記既設杭（Ｐ）を引き上げる引上げワイヤ（１２）を巻き付けた前記ケーシング（１１）を挿入するケーシング挿入工程と、
前記既設杭（Ｐ）の所定深さ位置において、前記ケーシング（１１）から前記既設杭（Ｐ）側に前記引上げワイヤ（１２）を軸方向にスライドさせて、この引上げワイヤ（１２）を前記既設杭（Ｐ）に巻き付けるワイヤ巻き付け工程と、
前記引上げワイヤ（１２）を上向きに引っ張って、前記既設杭（Ｐ）を引き抜く引き抜き工程と、
を備え、
前記引上げワイヤ（１２）の前記軸方向へのスライドが、前記ケーシング（１１）の外周面側に設けられ、前記ケーシング（１１）の軸方向に移動可能なスライド部材（１３）の下端部が前記引上げワイヤ（１２）に当接することによって行なわれる杭抜き方法。
【請求項７】
前記引上げワイヤ（１２）が、前記既設杭（Ｐ）の周りに２重以上に巻き付けられる請求項６に記載の杭抜き方法。